(57)【要約】【課題】遠隔診断システム測定器の提供。【解決手段】一種の遠隔診断システム測定器、生物皮膚の信号を計測し、その結果をパソコンに伝送できる。この測定器に二つの検出端を設け、生物体に当て、検出回路を構成する。そのうち、第１検出端は測定体前部の測定棒に設け、第２検出端は測定体の保持部に設ける。もう一つの導電棒は第２検出端に並列接続する。【選択図】図１
0003118874.tif 000002
【実用新案登録請求の範囲】
【請求項１】
計測体に保持部を設け、計測棒を計測体の前端部に設け、計測器上二つの検出端は生物体に触れて計測回路を構成し、そのうち、第１検出端は計測棒の前端部に設け、第２検出端は保持部または保持部の素子に並列接続することを特徴とする遠隔診断システム計測器。
【請求項２】
請求項１記載の遠隔診断システム計測器において、その計測体は中空の管状体であり、保持部に一つ以上の導電素子を設け、計測体内部に計測電気回路ユニットを設け、この計測電気回路ユニットに一対以上の信号検出端を設けて、信号検出端の第２端は保持部の導電素子に電気接続する構造であることを特徴とする遠隔診断システム計測器。
【請求項３】
請求項１記載の遠隔診断システム計測器において、その測定棒に弾性ユニットを設け、生物体に当てたときの圧力を和らげる構造であることを特徴とする遠隔診断システム計測器。
【請求項４】
請求項１記載の遠隔診断システム計測器において、導電棒、第２検出端に並列接続する構造であることを特徴とする遠隔診断システム計測器。
【請求項５】
請求項２記載の遠隔診断システム計測器において、そのうち、計測電気回路ユニットにUSB伝送インターフェスによりパソコンに接続できる構造であることを特徴とする遠隔診断システム計測器。
【請求項６】
請求項４記載の遠隔診断システム計測器において、測定電気回路ユニットにUSBインターフェスを設け、パソコンに接続し、この計測電気回路ユニットはさらに一つのUSBインターフェスを設けて、電源供給と振動伝送構造であることを特徴とする遠隔診断システム計測器。
【請求項７】
請求項２記載の遠隔診断システム計測器において、計測棒はさらに、計測電気回路ユニットを制御するための押しボタンを設け、計測電気回路ユニットが測定終了後、音声又は光源を出力するとき、この押しボタンを押すことにより、計測電気回路ユニットの測定を中止するか、または計測電気回路ユニットより信号を出力させる構造であることを特徴とする遠隔診断システム計測器。
【請求項８】
請求項６記載の遠隔診断システム計測器において、導電棒はUSBインターフェスにより並列接続し、導電棒は側面コネクタが並列接続用USBコネクタに接続され、この並列接続用USBコネクタの本体は前記の測定体後尾部より延ばしたUSBコネクタに接続する構造であることを特徴とする遠隔診断システム計測器。
【請求項９】
請求項３記載の遠隔診断システム計測器において、弾性ユニットに第１段弾性ユニットと第２段弾性ユニットを設け、第２段弾性ユニットは第１段弾性ユニットとの間に間隔を置く、計測棒は受圧により、計測体内部に引き込んだ後、まず第１段弾性ユニットに触れて、計測回路を導通する構造であることを特徴とする遠隔診断システム計測器。
【請求項１０】
請求項２記載の遠隔診断システム計測器において、計測電気回路ユニットは信号発生機、電源供給とアナログ/デジタル電源隔離装置、直流変換器、及びデジタル変換ユニットを含み、信号発生機(frequency generator)は作業周波数を生成し、電源供給とアナログ/デジタル電源隔離装置は利用者の起動信号により、電圧管理(Power management)ユニットを電源供給と電流隔離を行い、信号検出端を前記の計測棒と導電素子にそれぞれ提供し、  直流変換器(DC to DC Converter)は電源電圧変換および隔離を行い、作業に必要な電流を供給し、デジタル変換ユニット(analog to digital converter)は計測信号をデジタル変換(digitization)した後、USBによりパソコンに伝送することを特徴とする遠隔診断システム計測器。
【考案の詳細な説明】
【技術分野】
【０００１】
本考案は一種の診断システムの測定器、特に一種の生物体の抵抗信号を測定するための遠隔診断システム測定器に関わる。この測定器は、自己診断または第三者に診断することができる。
【背景技術】
【０００２】
自立神経系統は、主に内臓の働きと腺体の分泌を調節する機能がある。そして、その機能により、交感神経と副交感神経に分けられ、互いに拮抗しながら体を安定状態に維持する。自律神経(特に、交感神経)の制御と影響で、皮膚細胞の極化を除くことにより、低い抵抗現象が現れる。よって、肌の抵抗値を測定することで、交感神経の興奮状態を知ることができる。経絡は交感神経が肌の反応を現れるため、肌の抵抗値の変化により、交感神経の興奮状態を知ることができる。交感神経が興奮のとき、抵抗値は減少する。これに対して、交感神経が抑制された状態で、抵抗値は増加される。自律神経が人体器官の機能と生理メカニズムを調節、制御しているため、臓腑に異常があるとき、交感神経の興奮度に影響を与える。よって、良導絡(Ryodoraku)測定法により、体内器官に対応する肌の抵抗値を測定すれば、人間の体内器官の状態が分かる。
【０００３】
西暦１９４７年、ドイツ人医師クルーン(Croon)氏は、肌の低い抵抗区域と経穴(acupuncture point)に関連することを突き止めた。さらに、１９５０年には日本人医師中谷義雄(Dr. Yoshio Nakatani)は肌の良導絡(Ryodoraku)と良導点(Ryodoraku-point)と経穴(meridians)との関連性を発見した。肌の抵抗値を測定するときは、導電円筒を手にとって、もう一つの電極を構成する測定棒でもって、生物体の肌に計測するように、計測回路を構成する。近年、手のひらの経穴に関する研究はかなり熟成している。自分の手のひらを測定するとき、手を開いて測定に備える、もう一つの手は測定器を握らなければならないため、導電円筒を保持することができない。このため、公知技術の測定器を改善する必要がある。改良後の測定器は自らまたは第三者に診断することになお適する。これは、本考案目的の一つである。
【考案の開示】
【考案が解決しようとする課題】
【０００４】
本考案の主な目的は、生物信号を遠隔地より自らまたは第三者に診断する。一種の構造簡単、操作便利の計測器を提供する。
【０００５】
本考案のさらに一つの目的は、測定体に押しボタンを設けて、測定回路ユニットを制御する一種の計測器を提供する。計測電気回路ユニットが計測終了後、音声または光源を発信し、押しボタンにより計測電気回路ユニットの計測を中止するか、またはこの計測電気回路ユニットより、信号を出力させる。さらに、導電棒を計測体の第２検出端に並列接続し、被測定者がこれを保持し、第三者に計測診断する。
【０００６】
本考案さらに一つの目的は、計測棒先端に弾性ユニットを設け、生物体に当てたときの圧力を和らげて、肌の受ける圧力をできるだけ均一に維持する共に、計測棒を計測体内部に引き込んだ後、計測電気回路が導通される一種の計測器を提供する。
【課題を解決するための手段】
【０００７】
前記の目的を実現するため、本考案の遠隔診断システム測定器は主に、一種の筆形状を呈した計測体を設け、筆の本体に保持部を形成し、計測棒を計測体の先端に設ける。この測定器に二つの検出端を設け、生物体に当て、検出回路を構成する。そのうち、第１検出端は測定体前部の測定棒に設け、第２検出端は保持部または保持部の素子上に設ける。
【０００８】
計測体は中空の管状体を設け、保持部は一つ以上の導電素子を設ける。
計測体内部に計測電気回路ユニットを設け、この電気回路ユニットに一対以上の信号検出端を設ける。そのうち、信号検出端の第１端は計測棒に接続し、信号検出端の第２端は保持部の導電素子と電気接続する。さらに、測定棒の先端部に弾性ユニットを設け、生物体に当てたときの圧力を和らげる。
【０００９】
計測電気回路ユニットは必要な電圧安定ユニットを設け、好ましい実施例において、信号発生機(Function generator)を設けて、作業信号を生成する。さらに、信号電圧を管理するための電源管理装置(Power Management)を設けて、電流供給と電流隔離を行う。信号電圧管理ユニットは信号検出端を前記の計測棒と導電素子にそれぞれ提供し、生物体の経穴を測定する。直流変換器(DC to DC converter)は電源・電圧の変換および電流隔離を行い、作業に必要な電流を供給する。検出された信号はデジタル変換ユニット(Analog to digital converter)により、デジタル変換(Digitization)する。電源供給、アナログ/デジタル電源隔離装置は、利用者により信号電圧管理ユニットを起動し、電流供給と隔離を実行する。本計測器はUSBインターフェス(USB module Interface)を介して、USBコネクタによりパソコンに接続し、電源を取得したとき電流を隔離しておく、信号をパソコンに伝送できる。
【００１０】
押しボタンを設け、電気回路ユニットを制御する。計測電気回路ユニットは計測終了後、音声または光源を出力するとき、この押しボタンにより計測電気回路ユニットの計測を中止するか、この計測電気回路ユニットより信号を出力させる。
【００１１】
本計測器はUSBインターフェス(USB module Interface)を介して、USBコネクタによりパソコンに接続し、電源を取得したとき電流を隔離しておく、信号をパソコンに伝送できることが好ましいことである。さらに、導電棒を計測体の第２計測端に並列接続し、被測定者がこれを保持し、第三者に計測診断する。
【００１２】
この導電棒は測定体の後尾部より並列に接続するか、またはUSBコネクタにより並列接続することができる。
計測体の計測棒は二段式弾性ユニットに押さえることができる。計測棒は圧力により生物体内部に引き込んだ後、まず第１段弾性ユニットに当て、計測電気回路を導通する。第２段弾性素子は生物体に当てたときの圧力を和らげて、肌が受ける圧力をできる限り均一に維持する。
【００１３】
請求項１の考案は、計測体に保持部を設け、計測棒を計測体の前端部に設け、計測器上二つの検出端は生物体に触れて計測回路を構成し、そのうち、第１検出端は計測棒の前端部に設け、第２検出端は保持部または保持部の素子に並列接続することを特徴とする遠隔診断システム計測器としている。
請求項２の考案は、請求項１記載の遠隔診断システム計測器において、その計測体は中空の管状体であり、保持部に一つ以上の導電素子を設け、計測体内部に計測電気回路ユニットを設け、この計測電気回路ユニットに一対以上の信号検出端を設けて、信号検出端の第２端は保持部の導電素子に電気接続する構造であることを特徴とする遠隔診断システム計測器としている。
請求項３の考案は請求項１記載の遠隔診断システム計測器において、その測定棒に弾性ユニットを設け、生物体に当てたときの圧力を和らげる構造であることを特徴とする遠隔診断システム計測器としている。
請求項４の考案は、請求項１記載の遠隔診断システム計測器において、導電棒、第２検出端に並列接続する構造であることを特徴とする遠隔診断システム計測器としている。
請求項５の考案は、請求項２記載の遠隔診断システム計測器において、そのうち、計測電気回路ユニットにUSB伝送インターフェスによりパソコンに接続できる構造であることを特徴とする遠隔診断システム計測器としている。
請求項６の考案は、請求項４記載の遠隔診断システム計測器において、測定電気回路ユニットにUSBインターフェスを設け、パソコンに接続し、この計測電気回路ユニットはさらに一つのUSBインターフェスを設けて、電源供給と振動伝送構造であることを特徴とする遠隔診断システム計測器としている。
請求項７の考案は、請求項２記載の遠隔診断システム計測器において、計測棒はさらに、計測電気回路ユニットを制御するための押しボタンを設け、計測電気回路ユニットが測定終了後、音声又は光源を出力するとき、この押しボタンを押すことにより、計測電気回路ユニットの測定を中止するか、または計測電気回路ユニットより信号を出力させる構造であることを特徴とする遠隔診断システム計測器としている。
請求項８の考案は、請求項６記載の遠隔診断システム計測器において、導電棒はUSBインターフェスにより並列接続し、導電棒は側面コネクタが並列接続用USBコネクタに接続され、この並列接続用USBコネクタの本体は前記の測定体後尾部より延ばしたUSBコネクタに接続する構造であることを特徴とする遠隔診断システム計測器としている。
請求項９の考案は、請求項３記載の遠隔診断システム計測器において、弾性ユニットに第１段弾性ユニットと第２段弾性ユニットを設け、第２段弾性ユニットは第１段弾性ユニットとの間に間隔を置く、計測棒は受圧により、計測体内部に引き込んだ後、まず第１段弾性ユニットに触れて、計測回路を導通する構造であることを特徴とする遠隔診断システム計測器としている。
請求項１０の考案は、請求項２記載の遠隔診断システム計測器において、計測電気回路ユニットは信号発生機、電源供給とアナログ/デジタル電源隔離装置、直流変換器、及びデジタル変換ユニットを含み、信号発生機(frequency generator)は作業周波数を生成し、電源供給とアナログ/デジタル電源隔離装置は利用者の起動信号により、電圧管理(Power management)ユニットを電源供給と電流隔離を行い、信号検出端を前記の計測棒と導電素子にそれぞれ提供し、
直流変換器(DC to DC Converter)は電源電圧変換および隔離を行い、作業に必要な電流を供給し、デジタル変換ユニット(analog to digital converter)は計測信号をデジタル変換(digitization)した後、USBによりパソコンに伝送することを特徴とする遠隔診断システム計測器としている。
【考案の効果】
【００１４】
本考案の遠隔診断システム計測器の組成は非常に単純で、この特殊な計測器の構造により、自分の測定が便利のほか、第三者に測定することもできる。本計測器はUSBインターフェスにより、パソコンに接続し、電源を取得できるほか、電源を隔離することができる。さらに、信号はパソコンにより、データーベースまたはインターネット上遠隔地のサーバーに伝送し、データ検索できる。
【考案を実施するための最良の形態】
【００１５】
図１、図２、図７に示すとおり、本考案の生物信号を検出するための遠隔診断システム計測器に二つの検出端を設けておく、使用するときに、生物体に当て、検出回路を構成して、生物信号を検出した後、信号をパソコンに伝送する。この計測器の好ましい実施例は、一種の筆形計測器を設け、主に計測体１０より保持部１１を構成し、計測棒１２計測体１０の前端部に設ける。図３に示すとおり、計測体１０の上蓋１０１と下蓋１０２との間に、計測電気回路ユニット２０、互いに電気接続する導電素子１３を設けても良い。計測体１０は中空の管状体であり、その内部に設ける計測電気回路ユニット２０は図７に示すとおり、一対以上の信号検出端２１と２２を設ける。前記のとおり、信号検出端の第１端２１は計測棒１２と電気接続する。第１端２１は計測棒１２の先端部に設けることが好ましい。かつ、信号検出端の第２端２２は保持部１１の導電素子１３に電気接続するか、または保持部の素子に並列接続する。
【００１６】
図１と図２に示すとおり、押しボタン１５を設け、電気回路ユニット２０を制御する。計測電気回路ユニット２０が計測終了後、音声または光源を出力するとき、この押しボタン１５により計測電気回路ユニット２０の計測を中止するか、または計測電気回路ユニット２０より信号を出力させる。さらに、計測棒１２が生物体に当てたときの圧力不均衡を防止するため、計測棒１２を微量に前後移動するための緩衝装置を設ける。図２~図４に示すとおり、この緩衝装置の好ましい実施例は、計測棒１２に圧縮バネなどの弾性ユニット１４を設ける。弾性ユニット１４は支持台１６の支えにより、計測棒１２に前方向への推力を形成し、計測棒１２を微量に前後移動させ、生物体に当てた圧力を和らげて、計測棒１２の肌に当てる圧力をできる限り均一させる。計測棒１２は弾性ユニット１４に嵌め込んだ後、計測体１０の前蓋１０３内部に嵌め込む。さらに、支持台１６は組み立てた後、計測電気回路ユニットを組み立てた後、計測電気回路ユニット２０と結合する。計測棒１２は導電弾性ユニット１４に当て、かつ、計測棒１２の頸部は支持台１６によって、はさまれた後、支持台１６内部で寸動する。このため、計測棒１２は実質上、計測電気回路ユニット２０で導通する。
【００１７】
前記の緩衝装置はさらに、計測棒１２が生物体に当てたときの圧力不均衡を防止し、計測電気回路ユニット２０の開回路または閉回路を制御できる。図５と図６に示すものは、一つの好ましい実施例において、計測棒１２を圧縮バネなどの第１段弾性ユニット１８にはめ込み、第１段弾性ユニット１８は計測体１０の支持により、計測棒１２に前方向への推力を形成し、計測棒１２を微量に前後移動できる。さらに、第２段弾性素子１９を設ける。好ましいことは、バネシートなどを用いて、その局部にU形を形成し、弾性機能をもたせる。第２段弾性素子１９の後部端面は計測電気回路ユニット２０に固定し、U形の先端部１９は自由端にする。図６に示すとおり、計測棒１２の後尾部１２１は互いに僅かな適切間隔Dを維持している。
【００１８】
計測棒１２は肌に当てたとき、その圧力で計測体１０内部に引き込み、第１段弾性ユニット１８に当てた後、引き続き力を加わることにより、計測棒１２を引き込む。この移動距離が前記の間隔Dより大きいとき、第２段弾性素子１９の先端部１９１に当て、計測電気回路を導通する。第２段弾性素子１９は生物体に当てたときの圧力を和らげて、肌が受ける圧力をできる限り均一に維持する。
【００１９】
前記の計測電気回路ユニット２０は必要な電圧安定ユニットのほか、図７に示す好ましい実施例において、主に信号発生機(Frequency generator)２４を設け、作業周波数を生成し、典型的なものは正弦波である。信号電圧管理(Power management) ２３は電源供給と隔離を行う。信号電圧管理(Power management) ２３は信号検出端の第１端２１または第２端３３を前記の計測棒１２あるいは導電素子１３に提供し、生物体の経穴を測定する。電源供給およびアナログ/デジタル電源隔離装置は利用者が信号電圧管理ユニット２３の起動により、電源供給と隔離を行う。
【００２０】
直流変換器(DC to DC Converter)２５は電圧変換を行い、作業に必要な電流を供給するほか、計測した後の信号はデジタル変換ユニット(Analog to Digital converter)により、計測信号のデジタル変換(digitization)を行う。USBインターフェス(USB module interface)２７はコネクタ３１(図１に示す)によりパソコン２８に接続しておく、電源を取得したとき電流を隔離した上、信号をパソコン２８に出力させる。パソコン作業におけるデータ保存、伝送、表示２９は必須なものであり、その説明を省略する。
【００２１】
前記の計測器構造により、自己計測が便利である。さらに、第三者に計測するとき、下記いずれの実施例を応用できる。
【００２２】
図８と図９に示すとおり、導電棒４０は導線４２で接続しておく、コネクタ４１により計測体１０の後尾部１７に進入する。図９に示すものは、計測電気回路ユニット２０末端部のコンセント４３と並列接続する。もう一つの実施例は、図１０と図１１に示すとおり、導電棒４０のコネクタ４１はUSBコネクタ３１後尾部の側面コネクタ３４と並列接続する。図１２に示すとおり、あらたに側面コネクタ４４１の並列接続用USBコネクタ４４を提供し、側面コネクタ４４１は導電棒４０に並列接続し、本体は前記の計測体１０後尾部１７より延ばしたUSBコネクタ３１に並列接続しても良い。
【００２３】
導電棒４０は第三者に保持させ、計測棒１２はいったんその人の体に触れると、回路を形成するため、測定者の手が保持部１１の導電素子１３に触れても、回路形成により、測定に影響することがない。精密に無干渉の測定値を得るため導電棒４０のコネクタ４１は測定体１０後尾部１７のコネクタ４３に並列接続するか、またはUSBコネクタの側面コネクタ３４に接続したとき、選択導通機構内部に設ける切り換えスイッチにより、回路を構成し自己測定または導電棒４０による第三者測定の回路を選択できる。当然ながら、この択一回路はコンピュータ・プログラムによる制御は測定効果に影響されない。
【００２４】
本考案の計測器構造自体は、非常に単純であるため、個人使用による自己測定が便利である。さらに、第三者が導電棒４０を保持し、その人を測定することができる。第三者に測定するとき、導電棒４０と計測棒１２がその人の体に触れると、回路を形成するため、測定を開始できる。さらに、伝送インターフェスによりパソコンに接続した後、電源を取得したとき電流を隔離し、測定信号をパソコンにより、データーベースまたはインターネット上遠隔地のサーバーに伝送し、データ検索、または遠隔診断システムに接続できる。
【図面の簡単な説明】
【００２５】
【図１】本考案の遠隔診断システム測定器、好ましい実施例の立面概略図である。
【図２】図１に類似し、局部に細分化したものである。
【図３】図１の分解展開図である。
【図４】図３の局部拡大図である。
【図５】本考案の遠隔診断システム測定器、計測棒もう一つの好ましい実施例の局部分解展開図である。
【図６】図５の局部に細分化側視図である。
【図７】本考案の遠隔診断システム測定器、好ましい実施例の電気回路概略図である。
【図８】本考案の遠隔診断システム測定器、第三者に計測するときの好ましい実施例の立面概略図である。
【図９】図８の局部分解展開図である。
【図１０】図８に類似した、もう一つの実施例である。
【図１１】図１０の局部分解展開図である。
【図１２】図８に類似するが、もう１つ加えた専用のUSBコネクタは計測体の後部に突き出すUSBコネクタと直列接続することを示す図である。
【符号の説明】
【００２６】
１０  計測体
１０１  上蓋
１０２  下蓋
１０３  前蓋
１１  保持部
１２  測定棒
１２１  測定棒の後尾部
１３  導電素子
１４  弾性ユニット
１５  押しボタン
１６  支持台
１７  後尾部
１８  第１段弾性ユニット
１９  第２段弾性ユニット
１９１  第２段弾性ユニットの前部
D  間隔
２０  計測電気回路ユニット
２１  信号検出端の第１端
２２  信号検出端の第２端
２３  信号電圧管理ユニット
２４  信号発生機
２５  直流変換器
２６  デジタル変換ユニット２７  USBインターフェス
２８  パソコン
２９  データの保存、伝送、表示
３０  生物体
３１  USBコネクタ
３２  導線
３４  側面コネクタ
４０  導電棒
４１  コネクタ
４２  導線
４３  コンセント
４４  直列接続用USBコネクタ
４４１  側面コネクタ
【図１】
0003118874.tif 000003
【図２】
0003118874.tif 000004
【図３】
0003118874.tif 000005
【図４】
0003118874.tif 000006
【図５】
0003118874.tif 000007
【図６】
0003118874.tif 000008
【図７】
0003118874.tif 000009
【図８】
0003118874.tif 000010
【図９】
0003118874.tif 000011
【図１０】
0003118874.tif 000012
【図１１】
0003118874.tif 000013
【図１２】
0003118874.tif 000014